(57)【要約】【課題】効率がよく秘匿性の高い暗号化監視映像情報の蓄積配信が可能な映像情報データ配信システムを提供する。【解決手段】撮像装置から得られる映像情報データを特定の利用者の暗号機能付携帯端末に通信回線を介して配信するシステムにおいて、携帯端末１０９は、付属の撮像装置により生成された映像情報データの重要度に応じてセキュリティ強度の設定が可能となっている。携帯端末１０９は、撮像装置により映像情報データが生成されると、セキュリティ強度の設定画面を表示し、強度設定が行われると、設定強度に応じて各レイヤの暗号化処理部を動作させるか否かを識別し、その識別結果に基づいて映像情報データを暗号化し映像情報蓄積配信装置１１５に送信する。映像情報蓄積配信装置１１５は、携帯端末１０９から送られてきた映像情報データを蓄積し、情報端末装置からの配信要求に基づいて配信する。【選択図】      図１
2008172287.tif 000002
【特許請求の範囲】
【請求項１】
建物や特定の屋外領域に設置された撮像装置から得られる音声や画像データなどの映像情報データを特定の利用者の暗号機能付携帯端末に、通信回線を介して配信する映像情報データ配信システムにおいて、
映像情報データを暗号化した暗号化映像情報データを生成する処理部及び撮像装置と、前記撮像装置を有する特定利用者の携帯端末の映像情報データを暗号化する暗号化処理部と、前記生成された映像情報データの重要度に応じてセキュリティ強度を設定する画面に切換える画面切換え処理部と、前記画面切換え処理部によって切換えられた設定画面を表示するための設定画面表示処理部と、前記設定画面に表示されるセキュリティ強度を選択するための操作部と、前記操作部によって選択されたセキュリティ強度に応じて各レイヤの暗号化処理部を動作させるか否かを識別する識別処理部と、暗号機能付き携帯端末からの映像データを保存する映像情報蓄積配信装置と、前記映像情報蓄積配信装置に保存された映像情報データを情報端末装置からの配信要求に基づいて前記情報端末装置に配信する配信手段とを具備することを特徴とする映像情報データ配信システム。
【発明の詳細な説明】
【技術分野】
【０００１】
本発明は、例えば利用者（システム管理者も含む）が所有する携帯電話、パーソナルコンピュータ（パソコン）や無線監視カメラ等の暗号機能付き情報端末を用いて、ユーザ自身の選択や侵入者検出時など映像情報データの重要度に応じて通信回線の秘匿性を高め、暗号化した映像情報データを蓄積して配信する映像情報データ配信システムに関するものである。
【背景技術】
【０００２】
近年、監視カメラを用いて侵入者監視を行うシステムにおいて、多種の通信回線の中でも急速に普及しているインターネットやＬＡＮ等のネットワークを用いた映像配信の技術や、映像をハードディスクやＤＶＤなどの記憶装置にデジタルデータとして蓄積する技術、また、上記映像配信技術によって配信された映像を携帯端末で蓄積する技術や閲覧する技術、更には映像情報データに暗号化を施す技術などが開発されている（例えば、特許文献１参照。）。従って、上記技術によって、監視カメラの内部に映像情報データを暗号化する処理手段を備え、映像蓄積配信装置への保存やＰＣブラウザへの配信を特徴とする監視映像情報データ配信システムを提供している。更に、近年では通信回線の秘匿性を保つために、無線通信規格ＩＥＥＥ８０２．１６（以下、ＷｉＭＡＸと記す）などにおいて、映像や音声データを暗号化する技術が組み込まれている。
【０００３】
以下に、従来の映像情報データ配信システムについて説明する。
【０００４】
図１１は、従来のネットワーク型監視システムの構成例を示す図である。図１１において、１０１はＷｅｂ監視カメラ、１０２は監視カメラ、１０３はＷｅｂエンコーダ、１０５はＷｅｂデコーダ、１０６はモニタ、１０７はブラウザＰＣ、１１２はＬＡＮ（Local Area Network）の伝送路、１１３はインターネットなどのＷＡＮ（Wide Area Network）の伝送路、１１４は公衆回線網、１１５は映像情報蓄積配信装置である。また、１１１は無線による伝送路、１１６は携帯端末（もしくは、少なくとも撮像機能付き携帯端末を含んだ情報端末装置でもよい）、１１７は無線ＬＡＮ対応監視カメラ、１１８は基地局、１１９は公衆回線による伝送路、１２０はアクセスポイントである。
【０００５】
上記Ｗｅｂ監視カメラ１０１、監視カメラ１０２、Ｗｅｂエンコーダ１０３、Ｗｅｂデコーダ１０５、ブラウザＰＣ１０７及び映像情報蓄積配信装置１１５はＷＡＮの伝送路１１３により接続されており、また、上記の各装置はＬＡＮの伝送路１１２で接続されている。
【０００６】
また、携帯端末１１６、無線ＬＡＮ対応監視カメラ１１７、基地局１１８、アクセスポイント１２０は、公衆回線の伝送路１１９、公衆回線網１１４及び無線による伝送路１１１によって接続されている。
【０００７】
図１２は、上記ブラウザＰＣ１０７、映像情報蓄積配信装置１１５、携帯端末１１６及び無線ＬＡＮ対応監視カメラ１１７のハードウェア構成の一例を概略的に示す図である。
【０００８】
図１２において、１１０１はＣＰＵ（Central Processing Unit）、１１０２はメモリ、１１０３はネットワークインタフェース、１１０４は記憶装置、１１０５はサウンド入出力インタフェース、１１０６はスピーカ、１１０７はマイク、１１０８はビデオ入出力インタフェース、１１０９はモニタ、１１１０は入力インタフェース、１１１１はキーボード等の入力機器、１１１２はマウスなどのポインティングデバイス、１１１３はバスである。上記記憶装置１１０４としては、例えば磁気記憶装置が用いられる。
【０００９】
上記ＣＰＵ１１０１、メモリ１１０２、ネットワークインタフェース１１０３、記憶装置１１０４、サウンド入出力インタフェース１１０５、ビデオ入出力インタフェース１１０８及び入力インタフェース１１１０は、バス１１１３を介して相互に接続されており、スピーカ１１０６とマイク１１０７はサウンド入出力インタフェース１１０５に接続している。また、モニタ１１０９はビデオ入出力インタフェース１１０８に接続している。更に、入力機器１１１１とポインティングデバイス１１１２は、入力インタフェース１１１０に接続されている。また、ネットワークインタフェース１１０３は、図示していないが、ＬＡＮの伝送路１１２や公衆回線の伝送路１１９、無線による伝送路１１１と必要に応じて接続される。なお、図１２に示す構成は、システム要求に応じて異なることもある。
【００１０】
以下、図１１に示すシステムにおいて、監視カメラ１０２で撮像された映像情報を暗号化して映像情報蓄積配信装置１１５に蓄積する方法について説明する。
【００１１】
監視カメラ１０２は、ある地点に設置された固定カメラである。この監視カメラ１０２で撮影した映像を表す映像信号は、Ｗｅｂエンコーダ１０３に送信される。Ｗｅｂエンコーダ１０３は、上記映像信号をＪＰＥＧやＭＰＥＧなどの映像データ・フォーマットのデジタル映像信号に変換し、ＣＰＵ１１０１内に格納されている暗号処理手段によって映像データの暗号化を施し、映像情報蓄積配信装置１１５へ送信する。映像情報蓄積配信装置１１５では、ネットワークインタフェース１１０３で受信された上記映像信号がＣＰＵ１１０１に入力され、ＣＰＵ１１０１で識別符号が付与された上で、記憶装置１１０４に暗号化映像情報データとして適切に保存、蓄積される。
【００１２】
次に、上記映像情報蓄積配信装置１１５に蓄積された暗号化映像情報データをブラウザＰＣ１０７や携帯端末１１６に配信する方法について説明する。
【００１３】
ブラウザＰＣ１０７や携帯端末１１６は、映像情報蓄積配信装置１１５に対して暗号化映像情報データ取得要求信号を送信する。上記暗号化映像情報データ取得のための要求は、暗号化映像情報データ蓄積時に映像信号に付与された識別番号を指定することによって、所望の暗号化映像情報データを表す映像信号を取得するためである。
【００１４】
上記ブラウザＰＣ１０７から送信されたデータ取得要求信号は、ＬＡＮの伝送路１１２とＷＡＮの伝送路１１３とを介して映像情報蓄積配信装置１１５に伝送される。映像情報蓄積配信装置１１５は、上記データ取得要求により指定された識別番号に対応した映像信号をブラウザＰＣ１０７に送信する。送信された上記映像信号は、ＷＡＮの伝送路１１３とＬＡＮの伝送路１１２とを介してブラウザＰＣ１０７に伝送される。ブラウザＰＣ１０７は入力信号をＣＰＵ１１０１内に格納された暗号（復号）処理手段によって復号化し、ビデオ入出力インタフェース１１０８を介してアナログ映像信号に変換し、その映像信号に基づいた映像をモニタ１００９に表示する。
【００１５】
携帯端末１１６から上記ブラウザＰＣ１０７と同様に映像情報データ取得要求信号を映像情報蓄積配信装置１１５に送信した場合は、その映像情報データ取得要求信号は、無線による伝送路１１１、公衆回線網１１４及び公衆回線の伝送路１１９を介して映像情報蓄積配信装置１１５へ送信される。映像情報蓄積配信装置１１５は、適切な映像情報データを表す映像信号を記憶装置１１０４から取り出して携帯端末１１６へ送信する。携帯端末１１６は、受信した映像信号をＣＰＵ１１０１内に格納された暗号（復号）処理手段によって復号化し、更にビデオ入出力インタフェース１１０８を介してアナログ映像信号に変換し、その映像信号に基づいた映像をモニタ１００９に表示する。
【００１６】
ブラウザＰＣ１０７及び携帯端末１１６は、映像情報蓄積配信装置１１５に蓄積された過去の映像及び最新の映像の２通りの映像を受信することができる。
【特許文献１】特開２００４−２８２７３０号公報
【発明の開示】
【発明が解決しようとする課題】
【００１７】
上記のように映像情報データ配信システムでは、映像情報データが暗号化される。この暗号化処理にＷｉＭＡＸシステムの暗号処理手段を利用した場合、３重の暗号化が可能であるので、ＣＰＵ１１０１のリソースに無駄を生じる。
【００１８】
そこで、本発明の目的は、ＷｉＭＡＸ規格のような暗号機能付き携帯端末において映像情報データの暗号化を行う際に、映像情報データの重要度に応じて暗号化することで、携帯端末のＣＰＵのリソースを無駄に使用せず、効率良く秘匿性の高い映像情報データの蓄積配信が可能な映像情報データ配信システムを提供することにある。
【課題を解決するための手段】
【００１９】
本発明は、建物や特定の屋外領域に設置された撮像装置から得られる音声や画像データなどの映像情報データを特定の利用者の暗号機能付携帯端末に、通信回線を介して配信する映像情報データ配信システムにおいて、映像情報データを暗号化した暗号化映像情報データを生成する処理部及び撮像装置と、前記撮像装置を有する特定利用者の携帯端末の映像情報データを暗号化する暗号化処理部と、前記生成された映像情報データの重要度に応じてセキュリティ強度を設定する画面に切換える画面切換え処理部と、前記画面切換え処理部によって切換えられた設定画面を表示するための設定画面表示処理部と、前記設定画面に表示されるセキュリティ強度を選択するための操作部と、前記操作部によって選択されたセキュリティ強度に応じて各レイヤの暗号化処理部を動作させるか否かを識別する識別処理部と、暗号機能付き携帯端末からの映像データを保存する映像情報蓄積配信装置と、前記映像情報蓄積配信装置に保存された映像情報データを情報端末装置からの配信要求に基づいて前記情報端末装置に配信する配信手段とを具備することを特徴とする。
【発明の効果】
【００２０】
本発明によれば、ＷｉＭＡＸ規格のような暗号機能付き携帯端末において映像情報データの暗号化を行う際に、映像情報データの重要度に応じて暗号化することで、携帯端末のＣＰＵのリソースを無駄に使用せず、効率良く秘匿性の高い映像情報データを蓄積して配信することができる。
【発明を実施するための最良の形態】
【００２１】
以下、図面を参照して本発明の一実施形態を説明する。
【００２２】
図１は、ＷｉＭＡＸ規格（無線通信規格ＩＥＥＥ８０２．１６）のような暗号機能を有する携帯端末で撮像された映像を蓄積配信装置に蓄積し、パーソナルコンピュータ（パソコン）等に配信するネットワーク型監視システムの構成例を示す図である。
【００２３】
図１において、１０８はＷｉＭＡＸ基地局、１０９はＷｉＭＡＸ対応の例えばＰＤＡ、携帯電話等の携帯端末、１１０はＷｉＭＡＸ対応の監視カメラ、１２１−１〜１２１−ｎは監視カメラ１１０の撮像範囲に対応して設置される監視センサ、１１２はＬＡＮの伝送路、１１３はＷＡＮの伝送路、１１４は公衆回線網、１１１は無線による伝送路、１１５は映像情報蓄積配信装置、１０７はブラウザＰＣである。
【００２４】
上記ＷｉＭＡＸの携帯端末１０９、監視カメラ１１０、監視センサ１２１−１〜１２１−ｎは、ＬＡＮの伝送路１１２、公衆回線網１１４及び無線による伝送路１１１によって接続されている。また、映像情報蓄積配信装置１１５及びブラウザＰＣ１０７は、ＬＡＮの伝送路１１２を介してＷＡＮの伝送路１１３に接続されている。監視センサ１２１−１〜１２１−ｎは、監視カメラ１１０の撮像範囲に対応して設置されるが、例えば災報知機、ドアセンサ、ピッキングセンサなど、何らかの異常を検知し、異常情報（異常検知の有無、異常を検知した時刻、センサの種類等）を送信できるものであれば何でもよい。
【００２５】
上記ブラウザＰＣ１０７、映像情報蓄積配信装置１１５、携帯端末１０９及び監視カメラ１１０のハードウェア構成は、図１２に示したものと同様であるが、記憶装置１１０４に記憶されているプログラムが異なっている。また、記憶装置１１０４は、システム要求に応じて異なることもある。
【００２６】
上記ＷｉＭＡＸの携帯端末１０９は、図２に示すように特定の利用者が付属の撮像装置によって生成された例えば音声や画像データなどの映像情報データの重要度に応じて、セキュリティ強度の設定が可能となっている。図２において、１００１は数字や文字等のキー入力部、１００２はセキュリティ強度設定画面を起動して主画面１００４に表示するセキュリティ強度設定画面起動ボタン、１００３はセキュリティ強度設定画面操作ボタン、１００４は主画面である。
【００２７】
図３は、ＷｉＭＡＸの携帯端末１０９の主画面１００４に表示されるセキュリティ強度設定画面の例を示す図である。図３において、１００５はセキュリティ強度設定画面、１００６はセキュリティ強度、１００７は送信ボタン、１００８は終了ボタンである。上記セキュリティ強度は、例えば「１」、「２」、「３」、「４」の４段階に設定できるようになっている。利用者は、表示されたセキュリティ強度１００６の中から、操作ボタン１００３の操作により映像情報データの重要度に応じたセキュリティ強度を選択し、送信ボタン１００７を操作する。
【００２８】
図４は、ＷｉＭＡＸの携帯端末１０９のレイヤ別機能ブロック図である。暗号化プログラムは、アプリケーション層の映像暗号化プログラム２１１、ＩＥＴＦ（インターネット技術標準化委員会）が規定したＩＰ層のセキュリティプロトコル（ＩＰｓｅｃ）２１２、ＷｉＭＡＸが規定したＭＡＣ層のセキュリティ副層２１３の３箇所である。
【００２９】
図５は、映像情報データの重要度に応じてセキュリティ強度を設定し、ＷｉＭＡＸの携帯端末１０９からの暗号化映像情報データを映像情報蓄積配信装置１１５へ蓄積する処理の一例を示したフローチャートである。
【００３０】
（１）ステップＡ１は、携帯端末１０９のＷｅｂブラウザを起動するステップである。
【００３１】
（２）ステップＡ２は、携帯端末１０９のセキュリティ強度設定画面起動ボタン１００２を押下するステップである。
【００３２】
（３）ステップＡ３は、携帯端末１０９がセキュリティ強度設定画面１００５を映像情報蓄積配信装置１１５に対して要求するステップである。
【００３３】
（４）ステップＡ４は、セキュリティ強度設定画面１００５を映像情報蓄積配信装置１１５が受信するステップである。
【００３４】
（５）ステップＡ５は、映像情報蓄積配信装置１１５がセキュリティ強度設定画面１００５を携帯端末１０９に送信するステップである。セキュリティ強度設定画面１００５は、予め映像情報蓄積配信装置１１５内の記憶装置に記憶されている。
【００３５】
（６）ステップＡ６は、携帯端末１０９がセキュリティ強度設定画面１００５を受信し、図３に示したように主画面１００４に表示するステップである。
【００３６】
（７）ステップＡ７は、セキュリティ強度設定画面１００５において、利用者が映像情報データの重要度に応じて、操作ボタン１００３にてセキュリティ強度１００６を選択するステップである。選択できるセキュリティ強度１００６は、図４に示した暗号化を可能とするレイヤ数に対応する。
【００３７】
（８）ステップＡ８は、セキュリティ強度１００６に応じた暗号映像データを送信する送信ボタン１００７を押下する。
【００３８】
（９）ステップＡ９は、暗号化映像情報データを映像情報蓄積配信装置１１５に送信するステップである。
【００３９】
（１０）ステップＡ１０は、携帯端末１０９から送信された暗号化映像情報データを映像情報蓄積配信装置１１５が受信するステップである。
【００４０】
（１１）ステップＡ１１は、映像情報蓄積配信装置１１５が映像データを記憶装置に保存するステップである。
【００４１】
（１２）ステップＡ１２は、映像情報蓄積配信装置１１５がステップＡ１１の処理結果を携帯端末１０９に送信するステップである。
【００４２】
（１３）ステップＡ１３は、ステップＡ１１の処理結果を携帯端末１０９が受信し、モニタに表示するステップである。
【００４３】
（１４）ステップＡ１４は、ステップＡ１１の処理結果、すなわち映像情報蓄積配信装置１１５が映像データの蓄積に成功したかどうかを判断するステップである。ステップＡ１１の処理が正常に終了している場合、携帯端末１０９は「監視情報の保存が完了した」旨のメッセージを表示する。
【００４４】
（１５）ステップＡ１５は、ステップＡ１１の処理が正常に終了しなかった場合に、「監視情報の保存に失敗した」旨のメッセージを表示するステップであり、携帯端末１０９は再度、暗号化映像情報データを送信したり、処理が正常に終了しなかった原因を取り除いたりすることを利用者に促す。  
以上で映像データの蓄積処理を終了する。なお、上記ステップＡ８において、終了ボタン１００８が押下された場合は、ステップＡ９以降の処理を実行せずに終了する。
【００４５】
上記したように携帯端末１０９を操作することにより、映像情報データの重要度に応じてセキュリティ強度を設定した映像情報を送信することができる。
【００４６】
次に、上記撮像機能付き携帯端末１０９により撮像した映像信号を映像情報蓄積配信装置１１５に蓄積する場合の手順例について、図６及び図７を参照して説明する。
【００４７】
（１）ステップＢ１では、撮像機能付き携帯端末１０９の撮像機能を実現するためのカメラを用いて映像を撮像し、映像情報データとしての映像信号を生成する。
【００４８】
（２）ステップＢ２では、携帯端末１０９のセキュリティ強度設定画面１００５によって強度を設定する。
【００４９】
（３）ステップＢ３では、設定されたセキュリティ強度値に応じて、ＣＰＵ１１０１に格納された図４の暗号処理手段の映像暗号化プログラム２１１、ＩＰｓｅｃ２１２、セキュリティ副層２１３により映像情報データを暗号化し、暗号化映像信号を生成する。強度値が“４”の場合、映像暗号化プログラム２１１、ＩＰｓｅｃ２１２、セキュリティ副層２１３の全てにおいて暗号化する。
【００５０】
（４）ステップＢ４では、上記携帯端末１０９と映像情報蓄積配信装置１１５との通信を確立する。
【００５１】
（５）ステップＢ５では、上記携帯端末１０９から映像情報蓄積配信装置１１５に上記映像情報データとして映像信号を送信する。
【００５２】
（６）ステップＢ６では、上記携帯端末１０９と映像情報蓄積配信装置１１５との接続を切断する。このとき上記ステップＢ１により映像情報データを生成する前に、ステップＢ２により携帯端末１０９と映像情報蓄積配信装置１１５との接続を確立してもよい。すなわち、上記ステップＢ１と上記ステップＢ２の順序はどちらが先行してもよい。
【００５３】
ここで、携帯端末１０９（ＰＤＡ、携帯電話等）に付属している携帯端末カメラの映像を映像情報蓄積配信装置１１５に送信する場合の処理について、図７を参照して以下に説明する。
【００５４】
（１）ステップＣ１では、撮影された映像データは、携帯端末１０９内の記憶領域（メモリ等）にファイルとして保存される。
【００５５】
（２）ステップＣ２では、上記保存されたファイルは、携帯端末１０９に実装の電子メール機能を使い、電子メールの添付ファイルとして、電子メールサーバ機能が格納されている映像情報蓄積配信装置１１５に向けて電子メールの通信プロトコルとして送られる。
【００５６】
（３）ステップＣ３では、上記送られた電子メールは、電子メールサーバ機能（例えばＰＯＰサーバ）により映像情報蓄積配信装置１１５で受信される。
【００５７】
（４）ステップＣ４では、電子メールの添付ファイルは、映像情報蓄積配信装置１１５の記憶装置に格納されたプログラムにより、電子メールの中から取り出される。
【００５８】
（５）ステップＣ５では、上記取り出された添付ファイルは、更にファイル内のデータが読み出され、必要に応じてコーデック変換やフォーマット変換を施される。この際、コーデック変換・フォーマット変換は、監視カメラが映像情報蓄積配信装置１１５に対して映像を提供する場合と同じコーデックやフォーマットになるように施される。
【００５９】
（６）ステップＣ６では、上記ステップＣ５で必要に応じてコーデック変換やフォーマット変換が施されたデータは、映像情報蓄積配信装置１１５の記憶装置に記憶される。上記コーデックは、ＪＰＥＧやＭＰＥＧ−１，２，４，Ｈ．２６４等である。また、フォーマットの基本構成は、コーデック＋ヘッダ情報である。
【００６０】
次に、監視センサ１２１−１〜１２１−ｎにより得られた異常検出情報と、画像処理により得られた物体検出情報とに基づく監視情報を生成し、異常を検出した前記監視センサの種類に応じて、監視映像情報データのセキュリティ強度を決定する場合の例について説明する。
【００６１】
図８は、監視カメラの映像を説明するための図で、ある部屋の出入口となるドアを監視対象として、部屋の内部に設置した監視カメラ１１０で撮影した場合の映像である。図８において、２００１は監視対象となる映像、２００２はドアである。
【００６２】
ドア２００２にピッキングとドアセンサが設置され、部屋の内部には火災報知器が設置されている。ピッキングセンサは、ドア２００２がピッキングにより開けられた場合に異常を検知する装置とし、ドアセンサはピッキング以外の原因でドア２００２が開けられた場合に反応する装置とする。火災報知器は、報知器周辺の熱や煙に反応する装置とする。
【００６３】
図９は、図８と同様の映像であるが、ドア２００２がピッキングによって開けられ、侵入者２００３がドア２００２から侵入してきた場合の監視カメラ１１０の映像である。
【００６４】
上記監視カメラ１１０により撮影された画像を画像認識処理することにより、映像の変化が検知される。映像の変化が検知された時点の映像と、ピッキングセンサ及びドアセンサが反応した旨を知らせる内容とを監視情報として警備会社や、この部屋の住人の携帯電話に送信する。
【００６５】
図１０は、上記した各センサ及び画像認識処理による異常検知とセキュリティ強度とを関連付けるテーブル２００５の例を示す図である。
【００６６】
上記テーブル２００５において、例えば火災報知器が反応した場合にはセキュリティ強度“４”、ドアセンサが反応した場合はセキュリティ強度“２”、ピッキングが反応した場合はセキュリティ強度“３”、画像認識処理により映像の変化が検知された場合はセキュリティ強度“４”が設定される。
【００６７】
上記のテーブル２００５により、監視センサの種類に応じて監視映像情報データのセキュリティ強度を決定する。なお、暗号化の処理手順と映像データの送信手順は、前述の図６及び図７で説明した通りである。
【００６８】
上記のように構成された映像情報データ配信システムにおける監視サービスとしては、例えばデータセンターに設置された映像情報蓄積配信装置から個人が外出先から携帯端末１０９によって部屋の状態を確認する［個人遠隔監視］、警備会社の職員が通報を受けて、ビル・マンションへ到達するまでの間、携帯端末１０９で監視する［遠隔監視］、等のサービスが考えられる。この場合、暗号化鍵は、個人や警備会社が管理することでプライバシーが保護される。
【００６９】
なお、本発明は、上記実施形態そのままに限定されるものではなく、実施段階ではその要旨を逸脱しない範囲で構成要素を変形して具体化できるものである。
【図面の簡単な説明】
【００７０】
【図１】本発明の一実施形態に係る映像情報データ配信システムをネットワーク型監視システムに適用した場合の構成例を示す図である。
【図２】同実施形態におけるＷｉＭＡＸの携帯端末の構成例を示す図である。
【図３】同実施形態におけるＷｉＭＡＸの携帯端末の主画面に表示されるセキュリティ強度設定画面の例を示す図である。
【図４】同実施形態におけるＷｉＭＡＸの携帯端末のレイヤ別機能ブロック図である。
【図５】同実施形態において、ＷｉＭＡＸの携帯端末からの暗号化映像情報データを映像情報蓄積配信装置へ蓄積する場合の処理例を示すフローチャートである。
【図６】同実施形態において、撮像機能付き携帯端末により撮像した映像信号を映像情報蓄積配信装置に蓄積する場合の手順例を示すフローチャートである。
【図７】同実施形態において、携帯端末に付属している携帯端末カメラの映像を映像情報蓄積配信装置に送信する処理を示すフローチャートである。
【図８】同実施形態における監視カメラの映像を説明するための図である。
【図９】図８において、侵入者がドアから侵入してきた場合の監視カメラの映像を示す図である。
【図１０】同実施形態において、各監視センサ及び画像認識による異常検知とセキュリティ強度とを関連付けるテーブル例を示す図である。
【図１１】従来のネットワーク型監視システムの構成例を示す図である。
【図１２】図１１におけるブラウザＰＣ、映像情報蓄積配信装置、携帯端末及び無線ＬＡＮ対応監視カメラ等のハードウェア構成の一例を概略的に示す図である。
【符号の説明】
【００７１】
１０１…Ｗｅｂ監視カメラ、１０２…監視カメラ、１０３…Ｗｅｂエンコーダ、１０５…Ｗｅｂデコーダ、１０７…ブラウザＰＣ、１０９…撮像機能付き携帯端末、１１０…監視カメラ、１１１…無線による伝送路、１１２…ＬＡＮの伝送路、１１３…ＷＡＮの伝送路、１１４…公衆回線網、１１５…映像情報蓄積配信装置、１１６…携帯端末、１１７…ＬＡＮ対応監視カメラ、１１８…基地局、１１９…公衆回線の伝送路、１２０…アクセスポイント、１２１−１〜１２１−ｎ…監視センサ、２１１…映像暗号化プログラム、２１２…ＩＰ層のセキュリティプロトコル（ＩＰｓｅｃ）、２１３…セキュリティ副層、１００１…キー入力部、１００２…セキュリティ強度設定画面起動ボタン、１００３…操作ボタン、１００４…主画面、１００５…セキュリティ強度設定画面、１００６…セキュリティ強度、１００７…送信ボタン、１００９…モニタ、１１０１…ＣＰＵ、１１０２…メモリ、１１０３…ネットワークインタフェース、１１０４…記憶装置、１１０５…サウンド入出力インタフェース、１１０６…スピーカ、１１０７…マイク、１１０８…ビデオ入出力インタフェース、１１０９…モニタ、１１１０…入力インタフェース、１１１１…入力機器、１１１２…ポインティングデバイス、１１１３…バス、２００２…ドア、２００３…侵入者、２００５…テーブル
【図１】
2008172287.tif 000003
【図２】
2008172287.tif 000004
【図３】
2008172287.tif 000005
【図４】
2008172287.tif 000006
【図５】
2008172287.tif 000007
【図６】
2008172287.tif 000008
【図７】
2008172287.tif 000009
【図８】
2008172287.tif 000010
【図９】
2008172287.tif 000011
【図１０】
2008172287.tif 000012
【図１１】
2008172287.tif 000013
【図１２】
2008172287.tif 000014